(57)【要約】【課題】フィン部分の清掃が容易でかつ安全性を考慮した温風暖房機の提供。【解決手段】温風吹き出し口に取り外し可能なルーバーユニット１５０を備えた温風暖房機１００において、ルーバーユニット１５０に設けられた凹部１５２と、凹部１５２に嵌合するロック機構１７０のロックピン１７１と、ルーバーユニット１５０の取り付け状態を検出する検出手段に相当するリミットスイッチ１６０と、リミットスイッチ１６０がルーバーユニット１５０の取り付け状態を検知した場合に、運転が可能となる制御を行う制御装置が備えられていること。【選択図】図１
2019174042.tif 000002
【特許請求の範囲】
【請求項１】
温風吹き出し口に取り外し可能なルーバーユニットを備えた温風暖房機において、
前記ルーバーユニットに設けられた凹部と、該凹部に嵌合するロック機構と、前記ルーバーユニットの取り付け状態を検出する検出手段と、
該検出手段が前記ルーバーユニットの取り付け状態を検知した場合に、運転が可能となる制御を行う制御装置が備えられていること、
を特徴とする温風暖房機。
【請求項２】
請求項１に記載の温風暖房機において、
前記検出手段によって前記ルーバーユニットの取り付け状態が確認出来なくなった時点で、運転を停止し、
前記制御装置と連携する表示手段によって、その旨を表示すること、
を特徴とする温風暖房機。
【発明の詳細な説明】
【技術分野】
【０００１】
本発明は、ガスを利用した温風暖房機に関し、詳しくは送風口に備えられたフィンをアッセンブリー化して清掃しやすくする技術に関する。
【背景技術】
【０００２】
従来から、ガスを燃料とする温風暖房機は、素早く部屋を暖める暖房器具として人気が高く、市販されている。温風暖房機は、運転中に外部より室内の空気を取り込んで、熱気と共に温風を吹き出す構造であることが一般的であり、こうしたタイプのものは空気中の埃を空気と一緒に取り込んだ結果、流路内の突起部や本体の吹き出し口に設けられたルーバーなどに埃が付着することがある。そして、場合によっては焦げて臭いを生じたり、温風暖房機の性能に影響したりといった問題が考えられる。
【０００３】
特許文献１には、温風暖房機に関する技術が開示されている。温風暖房機の吹き出し口内において、ルーバーベースに着脱可能に装着されるフィンアッセンブリーを備え、ルーバーベースの一方の側にヒンジ軸受部を設けると共に、他方の側にねじ挿通部を備えてその背面にナットを取り付けてある。また、フィンアッセンブリーの一方の側にルーバーベースのヒンジ軸受部に着脱可能に嵌合するヒンジ軸を設けると共に、他方の側にネジ挿通孔に挿通してナットに螺入するつまみネジを設けている。
【先行技術文献】
【特許文献】
【０００４】
【特許文献１】特開２００５−２４１１１６号公報
【発明の概要】
【発明が解決しようとする課題】
【０００５】
しかしながら、特許文献１に記載されるような技術を用いた場合には、温風暖房機はフィンアッセンブリーを取り付けていない状態でも使用が可能となり、安全上好ましくない。故意にフィンアッセンブリーを外したまま使用するケースは多くないにしろ、フィンアッセンブリーがしっかりと本体に取り付けられていない状態で利用される事は問題となる。
【０００６】
そこで、本発明はこの様な課題を解決する為に、フィン部分の清掃が容易でかつ安全性を考慮した温風暖房機を提供することを目的とする。
【課題を解決するための手段】
【０００７】
前記目的を達成するために、本発明の一態様による温風暖房機は、以下のような特徴を有する。
【０００８】
（１）温風吹き出し口に取り外し可能なルーバーユニットを備えた温風暖房機において、前記ルーバーユニットに設けられた凹部と、該凹部に嵌合するロック機構と、前記ルーバーユニットの取り付け状態を検出する検出手段と、該検出手段が前記ルーバーユニットの取り付け状態を検知した場合に、運転が可能となる制御を行う制御装置が備えられていること、を特徴とする。
【０００９】
上記（１）に記載の態様により、ルーバーユニットが温風暖房機に取り付けられた状況を判断して運転が可能となり、ルーバーユニットが外された状態で温風暖房機が運転されることを防ぐことができ、安全性を考慮した運用が実現できる。また、ルーバーユニットは取り外しが可能である為、フィン部分の清掃が容易となるので、フィン部分に埃が溜まって運転に支障を来すような事態を避けることができ、その点も安全性を高めることに貢献することができる。
【００１０】
（２）（１）に記載の温風暖房機において、前記検出手段によって前記ルーバーユニットの取り付け状態が確認出来なくなった時点で、運転を停止し、前記制御装置と連携する表示手段によって、その旨を表示すること、が好ましい。
【００１１】
上記（２）に記載の態様により、万が一、ルーバーユニットが運転中に取り外されれば、検出手段によってそれを検知し、即座に運転を停止することができるので、安全性を高めることに貢献することができる。また、表示手段によってエラーメッセージなどを表示し、運転を継続するのに不適切な状況になったことを使用者に知らせることができるので、安心して利用ができる状態を提供可能となる。
【００１２】
（３）（１）に記載の温風暖房機において、前記ルーバーユニットに備えられたフィンの表面は塗装又はコーティングによって、清掃が容易に加工されていること、が好ましい。
【００１３】
上記（３）に記載の態様により、ルーバーユニットの清掃が容易になるため、メンテナンスの手間などがかからなくなり、メンテナンス頻度を上げることが可能となり、延いては安全性の向上に寄与することができる。
【図面の簡単な説明】
【００１４】
【図１】本実施形態の、温風暖房機の模式図である。
【図２】（ａ）本実施形態の、ルーバーユニットの断面図である。（ｂ）本実施形態の、ルーバーユニットの正面図である。
【図３】本実施形態の、温風暖房機にルーバーユニットが取り付けられた状態を示す断面図である。
【図４】本実施形態の、動作フロー図である。
【発明を実施するための形態】
【００１５】
まず、本発明の実施形態について図面を用いて説明を行う。図１に、本実施形態の、温風暖房機１００の模式図を示す。図２（ａ）に、ルーバーユニット１５０の断面図を示す。（ｂ）にルーバーユニット１５０の正面図を示す。図３に、温風暖房機１００にルーバーユニットが取り付けられた状態を断面図に示す。温風暖房機１００は、ルーバーユニット１５０を備え、温風暖房機１００の正面に設けられた開口部１２０に対して取り付け可能な構造になっている。また、上部には操作パネル１１０が設けられている。操作パネルには運転スイッチ１１１が設けられており、運転状態を知らせるディスプレイ１１２が備えられる。
【００１６】
図示しない電源には電源ケーブル１８０を備え、外部のコンセント２００から電源供給を受ける。また、ガス供給口１４０が設けられる。矩形に設けられた開口部１２０には、その内周にベース１２１が設けられ、ルーバーユニット１５０をベース１２１にはめ込む構造となっている。開口部１２０からは、図示しない内部機構より、温風が室内に向けて供給される。ルーバーユニット１５０は複数のフィン１５１を備えて、その温風の整流を行う役目を果たしている。
【００１７】
このルーバーユニット１５０には、凹部１５２が設けられ、この凹部１５２に対してソレノイドを備えたロック機構１７０が作用して、凹部１５２にロックピン１７１が挿し込まれる構造になっている。なお、ルーバーユニット１５０は、本体である温風暖房機１００より取り外されて、清掃を行うことが想定されて設計されているため、可能な限り凹凸の少ない形状であることが好ましく、その表面には汚れが落としやすいような塗装やコーティングが施されることが好ましい。特に、フィン１５１の表面は、凹凸が多いと、空気中の埃を溜め込みやすくなるため、滑らかに形成されることが好ましい。
【００１８】
このロックピン１７１を備えたロック機構１７０は、電圧が印加されるとロックピン１７１が前進し、通電が終了すると内蔵するバネ１７２によってロックピン１７１が退避する構造となっている。ロック機構１７０としてはこの他に回転型のロータリーソレノイドを用いたり、モータを用いたりする事も考えられるが、本実施形態ではソレノイドによってロックピンが進退するタイプのロック機構を例示して説明する。
【００１９】
ルーバーユニット１５０の構造は、開口部１２０の形状に合わせて長方形に形成されており、複数のフィン１５１が設けられている。ルーバーユニット１５０の一端には、図示しない引っ掛ける部分が形成されており、他端でロックする構成になっている。ルーバーユニット１５０は、開口部１２０のベース１２１に嵌められた際には、リミットスイッチ１６０のプランジャ１６１によってその着脱が確認される。なお、検出手段としてはリミットスイッチ１６０の他に、マグネットスイッチ等様々な検出手段が考えられるが、誤動作の少ない確実な検出手段を用いることが好ましい。
【００２０】
次に、温風暖房機１００の運転手順について簡単に説明する。図４に、運転のフローをフロー図に示す。まず、Ｓ１０で、電圧印加の有無をチェックする。電源ケーブル１８０をコンセント２００に指した段階で、電圧が印加されるので、電圧が印加されれば、Ｓ１１へ、電圧が印加されていなければＳ１４へ進む。Ｓ１１で、ロック機構１７０をＯＮにする。ロック機構１７０は、電圧が印加されることでソレノイドが作用しロックピン１７１が前進する。そして、Ｓ１２へ進む。
【００２１】
Ｓ１２で、リミットスイッチ１６０がＯＮになっているかどうかを確認する。リミットスイッチ１６０は開口部１２０にルーバーユニット１５０が正規の位置にはめ込まれていれば、プランジャ１６１が押されてＯＮになるように設けられている。よって、ルーバーユニット１５０がきちんとセットされていることを確認した上で、Ｓ１３に進む。一方、リミットスイッチ１６０がＯＦＦであれば、Ｓ１５へと進む。Ｓ１３で、温風暖房機１００の運転を開始し、燃焼開始する。
【００２２】
Ｓ１４で、ロック機構１７０をＯＦＦにする。温風暖房機１００のロック機構１７０には、通電時ＯＮのタイプのソレノイドを採用しているので、温風暖房機１００に電源が供給されずに電圧が印加されていなければ、ロック機構１７０はＯＦＦとなる。そして、Ｓ１０に進み、電圧印加を待つ。
【００２３】
Ｓ１５で、エラーメッセージを表示する。リミットスイッチ１６０がＯＦＦである条件では、ルーバーユニット１５０がしっかりセットされていないことを意味するので、例えば、液晶などを採用したディスプレイ１１２に、ルーバーユニット１５０の装着不良である旨のメッセージを表示する。そして、ルーバーユニット１５０の装着の為には、電源を落とす必要がある為、その旨も指示することが好ましい。
【００２４】
Ｓ１６で、リミットスイッチ１６０を確認し、ＯＦＦであればＳ１７に進み、ＯＮである限りは燃焼を続ける。Ｓ１７で、燃焼を終了し、そして処理を終了する。これらの処理は図示しない制御装置によって行われる。なお、フローには示していないが、温風暖房機１００が運転中に、操作パネル１１０に備える運転スイッチ１１１が押された場合や、地震などによる揺れを検知した場合等にも運転は停止されるが、ここでは説明を割愛する。
【００２５】
本実施形態の温風暖房機１００は上記構成であるので、下記に説明する作用・効果を奏する。
【００２６】
まず、効果として、ルーバーユニット１５０の装着確認をした上で、温風暖房機１００を運転することができるので、利用者の安全に配慮した運用が可能となる。これは、本実施形態の温風暖房機１００が、温風吹き出し口に取り外し可能なルーバーユニット１５０を備えた温風暖房機１００において、ルーバーユニット１５０に設けられた凹部１５２と、凹部１５２に嵌合するロック機構１７０のロックピン１７１と、ルーバーユニット１５０の取り付け状態を検出する検出手段に相当するリミットスイッチ１６０と、リミットスイッチ１６０がルーバーユニット１５０の取り付け状態を検知した場合に、運転が可能となる制御を行う制御装置が備えられていること、を特徴とするからである。
【００２７】
ルーバーユニット１５０を温風暖房機１００から外して洗う事ができるようにするという発想そのものは特許文献１にも見られるが、こうした取り外し可能な構造というのは、安全面においては課題にも記載した通りデメリットも考えられる。その点、本実施形態に示すように、ルーバーユニット１５０のロック機構１７０を備え、運転のシーケンスにルーバーユニット１５０が正常にセットされているか否かをチェックする機構を組み込むことで、ルーバーユニット１５０がセットされていない状態で温風暖房機１００を運転するということを避けることが可能となる。
【００２８】
また、ルーバーユニット１５０の検出手段として設けられたリミットスイッチ１６０は、ルーバーユニット１５０が外されれば、それを検出することが可能である。実際には、温風暖房機１００の運転中には、ロック機構１７０によってルーバーユニット１５０がロックされているため、ルーバーユニット１５０を取り外される心配は無いが、万が一、ルーバーユニット１５０が外れてしまった場合には、リミットスイッチ１６０を用いてそれを検出することができるので、即座に温風暖房機１００の運転を停止することができる。このことは利用者の安全性を高めることに繋がる。
【００２９】
ルーバーユニット１５０の清掃については、フィン１５１の表面が滑らかに形成され、汚れを落としやすい塗装やコーティングを施してあることで、水洗いなどで容易に清掃ができる。コーティングの種類としては色々考えられるが、耐熱性の高いガラス系コーティングやフッ素樹脂系のコーティングが好ましいと考えられる。塗装についても、表面硬度が高くなり、耐熱性の高い塗装であれば良い。こうしたフィン１５１を備える事で、掃除がし易くなり、埃が堆積して焦げ臭くなったり、動作不良を起こしたりするなどの事態を避けることができるので、温風暖房機１００の安全運転に寄与する。
【００３０】
以上、本発明に係る温風暖房機の実施形態を説明したが、本発明はこれに限定されるわけではなく、その趣旨を逸脱しない範囲で様々な変更が可能である。例えば、温風暖房機１００の形状や操作パネル１１０のレイアウトなどは、設計変更の範囲内でこれを変える事を妨げない。また、ルーバーユニット１５０の形状についても、あくまで一例を示したに過ぎないので、適宜変更される事を妨げない。また、ロック機構１７０の構成についても、ルーバーユニット１５０が外れないようにロックできれば、その目的を達することができるため、例えば２箇所以上に設けたり、ソレノイドを用いずにモータを用いたロック機構を設けたりすることを妨げない。
【符号の説明】
【００３１】
１００      温風暖房機
１１０      操作パネル
１２０      開口部
１４０      ガス供給口
１５０      ルーバーユニット
１６０      リミットスイッチ
１７０      ロック機構
【図１】
2019174042.tif 000003
【図２】
2019174042.tif 000004
【図３】
2019174042.tif 000005
【図４】
2019174042.tif 000006